(57)【特許請求の範囲】
【請求項１】
コンピュータ部が、地図情報提供部により提供可能とされる地図情報についての見出しのうちから選択された見出し、及び、該選択された見出しにより特定される地図情報の取込みに使用可能なデータ取込容量をあらわす要求見出しリスト情報を、上記地図情報提供部に通信部を通じて送出する第１のステップと、
上記コンピュータ部が、上記地図情報提供部から送られてくる、上記選択された見出しにより特定される地図情報のデータ量と上記使用可能なデータ取込容量とに関するデータ量関係情報を参照し、上記要求見出しリスト情報の修正を行って修正要求見出しリスト情報を上記地図情報提供部に送出した後に、もしくは、上記要求見出しリスト情報の修正を行わずに、地図情報送出要求情報を上記地図情報提供部に通信部を通じて送出する第２のステップと、
上記コンピュータ部が、上記地図情報提供部から、上記修正要求見出しリスト情報及び上記地図情報送出要求情報、もしくは、上記要求見出しリスト情報及び上記地図情報送出要求情報に応じて送られてくる、上記修正要求見出しリスト情報もしくは上記要求見出しリスト情報により指定された見出しにより特定される地図情報を取り込んで、情報記録再生部における情報記録媒体に記録する第３のステップと、
を含むことを特徴とする地図情報取込方法。
【請求項２】
上記コンピュータ部が、上記第２のステップにおいて、上記地図情報提供部から送られてくるデータ量関係情報が、上記選択された見出しにより特定される地図情報のデータ量が上記使用可能なデータ取込容量を越えていることをあらわす場合、上記要求見出しリスト情報についての、上記選択された見出しにより特定される地図情報のデータ量を低減させる修正を行って、上記修正要求見出しリスト情報を得ることを特徴とする請求項１記載の地図情報取込方法。
【請求項３】
上記コンピュータ部が、上記第２のステップにおいて、上記修正要求見出しリスト情報を上記地図情報提供部に送出したとき、上記地図情報提供部から上記修正要求見出しリスト情報によって指定された見出しにより特定される地図情報のデータ量と上記使用可能なデータ取込容量とに関する修正データ量関係情報が送られてきた後、上記地図情報送出要求情報を上記通信部を通じて上記地図情報提供部に送出することを特徴とする請求項１または２記載の地図情報取込方法。
【請求項４】
上記コンピュータ部が、上記第１のステップにおいて、上記地図情報提供部から送られてくる、該地図情報提供部により提供可能とされる地図情報についての見出しをあらわす提供可能情報見出しリスト情報を参照して、上記地図情報についての見出しの選択を行い、上記要求見出しリスト情報を、選択された見出しと該見出しにより特定される地図情報の取込みに使用可能なデータ取込容量とをあらわすものとして得ることを特徴とする請求項１, ２または３記載の地図情報取込方法。
【請求項５】
上記情報記録再生部において、上記情報記録媒体として情報の書込み及び読取りが可能な光ディスクが用いられることを特徴とする請求項１〜４のいずれかに記載の地図情報取込方法。
【請求項６】
地図情報提供部により提供可能とされる地図情報についての見出しのうちから選択された見出し、及び、該選択された見出しにより特定される地図情報の取込みに使用可能なデータ取込容量をあらわす要求見出しリスト情報を、上記地図情報提供部に送出する第１の手段と、上記地図情報提供部から送られてくる、上記選択された見出しにより特定される地図情報のデータ量と上記使用可能なデータ取込容量とに関するデータ量関係情報を参照し、上記要求見出しリスト情報の修正を行って修正要求見出しリスト情報を上記地図情報提供部に送出する状態と上記要求見出しリスト情報の修正を行わない状態とを選択的にとる第２の手段と、上記第１の手段により上記要求見出しリスト情報が送出された後、上記第２の手段による上記修正要求見出しリスト情報の送出が行われた状態、もしくは、上記第２の手段による上記要求見出しリスト情報の修正が行われない状態のもとで、地図情報送出要求情報を上記地図情報提供部に送出する第３の手段と、上記地図情報提供部から、上記修正要求見出しリスト情報及び上記地図情報送出要求情報、もしくは、上記要求見出しリスト情報及び上記地図情報送出要求情報に応じて送られてくる、上記修正要求見出しリスト情報もしくは要求見出しリスト情報により指定された見出しにより特定される地図情報を取り込んで、情報記録媒体に記録する第４の手段と、
を備えて構成される地図情報取込装置。
【請求項７】
上記第２の手段が、上記地図情報提供部から送られてくるデータ量関係情報が、上記選択された見出しにより特定される地図情報のデータ量が上記使用可能なデータ取込容量を越えていることをあらわす場合、上記要求見出しリスト情報についての、上記選択された見出しにより特定される地図情報のデータ量を低減させる修正を行って、上記修正要求見出しリスト情報を得ることを特徴とする請求項６記載の地図情報取込装置。
【請求項８】
上記第３の手段が、上記修正要求見出しリスト情報を上記地図情報提供部に送出したとき、上記地図情報提供部から上記修正要求見出しリスト情報によって指定された見出しにより特定される地図情報のデータ量と使用可能なデータ取込容量とに関する修正データ量関係情報が送られてきた後、上記地図情報送出要求情報を上記地図情報提供部に送出することを特徴とする請求項６または７記載の地図情報取込装置。
【請求項９】
上記第１の手段が、上記地図情報提供部から送られてくる、該地図情報提供部により提供可能とされる地図情報についての見出しをあらわす提供可能情報見出しリスト情報を参照して、地図情報についての見出しの選択を行い、選択された見出しと該見出しにより特定される地図情報の取込みに使用可能なデータ取込容量とをあらわす要求見出しリスト情報を得ることを特徴とする請求項６，７または８記載の地図情報取込装置。
【請求項１０】
上記第４の手段により取り込まれた地図情報の記録がなされる上記情報記録媒体として、情報の書込み及び読取りが可能な光ディスクが用いられることを特徴とする請求項６〜９のいずれかに記載の地図情報取込装置。
【発明の詳細な説明】
【０００１】
【発明の属する技術分野】
本発明は、例えば、車両のナビゲーションシステムに適用され、地図情報提供部との交信を行って、地図情報提供部により提供可能とされる地図情報を選択して取り込むための地図情報取込方法及び地図情報取込装置に関する。
【０００２】
【従来の技術】
車両についての路上走行補助システムの一つである車両用のナビゲーション装置として、車両における車室形成部に配された画像表示部を備え、その画像表示部に、当該車両の走行エリアを含んだ道路地図が表示されるとともに、その表示された道路地図上に重ねて、車両の現在位置，目的地，現在位置から目的地までの通過予定経路等の種々の情報が表示される状態がとられるようにされたものが提案されている。斯かるナビゲーション装置における画像表示部には、道路地図及びその上における車両の現在位置等の表示に加えて、特定の地域内におけるショッピング街，ホテル・旅館，レストラン等に関する地図情報の表示も行われるようにされることが多い。
【０００３】
このような車両用のナビゲーション装置にあっては、通常、コンピュータ部が備えられ、そのコンピュータ部に、情報記録媒体から情報を再生する情報再生部，画像表示部等が接続されていて、情報再生部，画像表示部等についてのコンピュータ部による動作制御が行われる。そして、情報再生部に、道路地図をあらわす地図データ、及び、地図データに含まれる道路地図上の各種建造物や施設、例えば、ショッピング街，ホテル・旅館，レストラン等を示すランドマーク及び地名等を示す文字をあらわすマークデータ等を含む地図情報が格納された、比較的大なる記憶容量を有する情報記録媒体が装着される。そして、情報記録媒体に格納された地図情報に含まれる地図データ及びマークデータ等が情報再生部によって適宜読み出されて再生され、情報記録媒体から得られた地図データ及びマークデータ等に基づく映像信号が画像表示部に供給される。それにより、画像表示部において、地図データ及びマークデータに基づき、例えば、道路地図、及び、それに重畳されて車両の現在位置，その現在位置周囲における各種建造物や施設等についての画像表示が行われる。
【０００４】
情報再生部に装着されて用いられる情報記録媒体は、例えば、それに対する情報の書込み及びそれからの情報の読取りが、光ビームが用いられ行われるコンパクト光ディスクとされる。コンパクト光ディスクにも幾つかの種類があるが、車両用のナビゲーション装置に用いられるコンパクト光ディスクは、情報読出し専用のもの、あるいは、情報の書込み及び読取りが可能なものとされる。
【０００５】
情報読出し専用のコンパクト光ディスクにあっては、予め地図データ及びマークデータ等を含む地図情報が格納されたものとされて使用者に渡され、使用者による格納された地図情報の消去あるいは新たな情報の書込みは不可とされる。また、情報の書込み及び読取りが可能なコンパクト光ディスクにあっては、予め地図データ及びマークデータ等を含む地図情報が格納されたものとされて使用者に渡された後、使用者による予め格納された地図情報についての消去あるいは新たな情報の書込みが可能とされる。情報の書込み及び読取りが可能なコンパクト光ディスクとしては、所謂、相変化記録が行われるもの等がある。
【０００６】
そして、情報の書込み及び読取りが可能な光ディスクが用いられる場合には、それが装着される情報再生部は、情報記録機能をも具えるもの、即ち、情報記録再生部とされる。
【０００７】
【発明が解決しようとする課題】
上述の如くに、コンピュータ部に接続された情報再生部もしくは情報記録再生部及び画像表示部を備えたナビゲーション装置が実際の使用に供される際には、情報再生部もしくは情報記録再生部に、予め地図情報が格納されたコンパクト光ディスク等の情報記録媒体が装着されるが、斯かる情報記録媒体は、予め格納された地図情報の内容に応じて様々に分類されている。
【０００８】
例えば、地図情報に含まれる地図データがあらわす道路地図の地域別に分類されたもの、地図情報に含まれるマークデータがあらわすショッピング街，ホテル・旅館，レストラン等の内容別に分類されたものとされる。具体的には、地図データがあらわす道路地図の地域別に分類されたものの場合には、例えば、日本全国の道路地図をあらわす地図データが格納されたもの，各都道府県内の道路地図をあらわす地図データが夫々格納されたもの，各都市内の詳細な道路地図をあらわす地図データが夫々格納されたもの等々とされる。また、マークデータがあらわすショッピング街，ホテル・旅館，レストラン等の内容別に分類されたものの場合には、例えば、各都市におけるショッピング街を紹介するマークデータが格納されたもの，各都市におけるレストランを紹介するマークデータが格納されたもの等々とされる。
【０００９】
従って、予め地図情報が格納された情報記録媒体を情報再生部もしくは情報記録再生部に装着して情報記録媒体からの地図情報を得る使用者は、その目的あるいは意図するところに適合した情報記録媒体を選択することが必要とされ、さらには、必要に応じて、情報再生部もしくは情報記録再生部に装着される情報記録媒体を適宜交換することが要求される。一つの情報記録媒体に予め格納された情報には、使用者が望む情報がその一部分に含まれているだけで、他の部分は当該使用者が望まない情報であるというような状況が少なからず生じるからである。
【００１０】
このような情報記録媒体についてのそれに格納された地図情報の内容に応じた選択あるいは交換は、使用者に煩わしさを覚えさせることになってしまい、また、実質的に、分類を異にする数多くの情報記録媒体を取り揃えることを使用者に要求する結果となり、使用者に負担を課することになるという問題がある。
【００１１】
斯かる点に鑑み、本発明は、情報再生部もしくは情報記録再生部にコンパクト光ディスク等とされる情報記録媒体を装着し、その情報記録媒体に格納された地図情報を再生して使用する使用者にとって、分類を異にする数多くの情報記録媒体を取り揃えることが要されず、しかも、例えば、一つの情報記録媒体から、所望の地図情報を効率良く得ることができることになる状況をもたらす、地図情報取込方法及び地図情報取込装置を提供する。
【００１２】
【課題を解決するための手段】
本発明に係る地図情報取込方法は、コンピュータ部が、地図情報提供部により提供可能とされる地図情報についての見出しのうちから選択された見出し、及び、その選択された見出しにより特定される地図情報の取込みに使用可能なデータ取込容量をあらわす要求見出しリスト情報を通信部を通じて地図情報提供部に送出する第１のステップと、コンピュータ部が、地図情報提供部から送られてくる、選択された見出しにより特定される地図情報のデータ量と使用可能なデータ取込容量とに関するデータ量関係情報を参照し、要求見出しリスト情報の修正を行って修正要求見出しリスト情報を地図情報提供部に送出した後に、もしくは、要求見出しリスト情報の修正を行わずに、地図情報送出要求情報を通信部を通じて地図情報提供部に送出する第２のステップと、コンピュータ部が、地図情報提供部から、修正要求見出しリスト情報及び地図情報送出要求情報、もしくは、要求見出しリスト情報及び地図情報送出要求情報に応じて送られてくる、修正要求見出しリスト情報もしくは要求見出しリスト情報により指定された見出しにより特定特定される地図情報を取り込んで、情報記録再生部における情報記録媒体に記録する第３のステップと、を含むものとされる。
【００１３】
また、本発明に係る地図情報取込装置は、地図情報提供部により提供可能とされる地図情報についての見出しのうちから選択された見出し、及び、その選択された見出しにより特定される地図情報の取込みに使用可能なデータ取込容量をあらわす要求見出しリスト情報を、地図情報提供部に送出する第１の手段と、地図情報提供部から送られてくる、選択された見出しにより特定される地図情報のデータ量と使用可能なデータ取込容量とに関するデータ量関係情報を参照し、要求見出しリスト情報の修正を行って修正要求見出しリスト情報を地図情報提供部に送出する状態と要求見出しリスト情報の修正を行わない状態とを選択的にとる第２の手段と、第１の手段により上記要求見出しリスト情報が送出された後、第２の手段による修正要求見出しリスト情報の送出が行われた状態、もしくは、第２の手段による要求見出しリスト情報の修正が行われない状態のもとで、地図情報送出要求情報を地図情報提供部に送出する第３の手段と、地図情報提供部から、修正要求見出しリスト情報及び地図情報送出要求情報、もしくは、要求見出しリスト情報及び地図情報送出要求情報に応じて送られてくる、修正要求見出しリスト情報もしくは要求見出しリスト情報により指定された見出しにより特定される地図情報を取り込んで、情報記録媒体に記録する第４の手段とを備えて構成される。
【００１４】
上述の如くの本発明に係る地図情報取込方法及び地図情報取込装置によれば、地図情報提供部により提供可能とされる地図情報のうちから任意に選択された地図情報が、その取込みに使用可能なデータ取込容量に応じたものとされて取り込まれ、例えば、情報の書込み及び読取りが可能なコンパクト光ディスクとされる情報記録媒体に記録される。それにより、情報再生部もしくは情報記録再生部に情報記録媒体を装着し、その情報記録媒体に格納された地図情報を再生して使用する使用者にとって、地図情報提供部により提供可能とされる地図情報のうちから所望のものとして選択した、例えば、複数種の地図情報が、効率良く格納された情報記録媒体を得ることができることになる。
【００１５】
従って、例えば、車両用のナビゲーション装置に備えられる情報再生部もしくは情報記録再生部に、コンパクト光ディスク等とされる情報記録媒体を装着して用いる使用者にとって、分類を異にする数多くの情報記録媒体を取り揃えることが要されず、しかも、例えば、一つの情報記録媒体から、所望の地図情報を効率良く得ることができることになる状況がもたらされることになる。
【００１６】
【発明の実施の形態】
図２は、本発明に係る地図情報取込方法の一例が実施される本発明に係る地図情報取込装置の一例が適用された車両のナビゲーション装置を、それとの交信が行われる地図情報提供部を形成する地図情報提供センターと共に示す。
【００１７】
図２に示されるナビゲーション装置１１は、車両に搭載されたものとされる。そして、ナビゲーション装置１１は、コンピュータ部１２を備えており、コンピュータ部１２に対しては、例えば、キーボード，マウス等とされる入力操作部１３を通じての入力操作が行われる。また、ナビゲーション装置１１には、コンピュータ部１２によって動作制御が行われる、位置検出部１４，情報記録再生部１５，画像表示部１６、及び、通信部１７が設けられている。
【００１８】
位置検出部１４は、ナビゲーション装置１１が搭載された車両の位置を、例えば、ＧＰＳ（グローバル・ポジショニング・システム）信号を利用し、さらに、車両が備える車速センサ，地磁気センサ等の各種のセンサを含む車両センサ部１８からの検出出力に基づいて検出し、検出された車両の位置をあらわす位置データをコンピュータ部１２に供給する。
【００１９】
情報記録再生部１５は、例えば、情報記録媒体であるコンパクト光ディスクが装着されるディスクプレーヤによって構成される。この情報記録再生部１５を構成するディスクプレーヤに装着されるコンパクト光ディスクは、例えば、所謂相変化記録が行われて情報の書込み及び読取りが可能なコンパクト光ディスクとされ、それに対する道路地図をあらわす地図データ、及び、地図データに含まれる道路地図上の各種建造物や施設、例えば、ショッピング街，ホテル・旅館，レストラン等を示すランドマーク及び地名等を示す文字をあらわすマークデータ等を含む地図情報の記録、及び、それに記録された地図情報の読出しが行われる。そして、情報記録再生部１５においてコンパクト光ディスクに記録される地図情報は、コンピュータ部１２を通じて情報記録再生部１５に供給され、また、情報記録再生部１５においてコンパクト光ディスクから読み出された地図情報は、コンピュータ部１２に供給される。
【００２０】
画像表示部１６は、コンピュータ部１２から供給される各種の表示用映像信号に応じて、地図情報に含まれる地図データがあらわす道路地図，マークデータがあらわすランドマーク等々の様々な画像を表示する。
【００２１】
通信部１７は、コンピュータ部１２により形成される各種の情報をナビゲーション装置１１の外部に送出するとともに、ナビゲーション装置１１の外部からの地図情報を含む各種の情報を取り込んで、それらをコンピュータ部１２に供給する。
【００２２】
また、図２に示される地図情報提供部を形成する地図情報提供センター２１は、所定の場所に設置された情報提供施設である。そして、地図情報提供センター２１は、コンピュータ部２２を備えており、コンピュータ部２２に対しては、例えば、キーボード，マウス等とされる入力操作部２３を通じての入力操作が行われる。また、地図情報提供センター２１には、コンピュータ部２２によって動作制御が行われる、情報データベース２４，画像表示部２５、及び、通信部２６が設けられている。
【００２３】
情報データベース２４は、各種の地図データ，マークデータ等を含む地図情報を、コンピュータ部２２によって自在に取り出せる状態として、例えば、比較的大掛かりな光ディスクシステムに格納している。また、コンピュータ部２２を通じて、新たな地図情報が光ディスクシステムに適宜加えられるものとされる。
【００２４】
画像表示部２５は、コンピュータ部２２から供給される各種の表示用映像信号に応じて、地図情報に含まれる地図データがあらわす道路地図，マークデータがあらわすランドマーク等々の様々な画像を表示する。
【００２５】
通信部２６は、コンピュータ部２２により、例えば、情報データベース２４から取り出された地図情報に基づいて形成される各種の情報を、地図情報提供センター２１の外部に送出するとともに、地図情報提供センター２１の外部からの地図情報を含む各種の情報を取り込んで、コンピュータ部２２に供給する。
【００２６】
このようなもとで、ナビゲーション装置１１における通信部１７は、地図情報提供センター２１における通信部２６との交信を行い、通信部２６との間に開設される通信回線３０を通じての情報交換が行われる。
【００２７】
ナビゲーション装置１１においては、コンピュータ部１２，入力操作部１３，情報記録再生部１５，画像表示部１６及び通信部１７を含む部分によって、本発明に係る地図情報取込装置の一例が構成されており、この地図情報取込装置の一例によって、本発明に係る地図情報取込方法の一例が実施される。
【００２８】
本発明に係る地図情報取込方法の一例が実施されるにあたっては、ナビゲーション装置１１と地図情報提供センター２１との間で、図１に示される如くの一連の情報交換が、以下の如くにして行われる。
【００２９】
先ず、図１において情報交換ステップＳ１として示される如く、ナビゲーション装置１１側からの地図情報提供センター２１に対するアクセスが、ナビゲーション装置１１のコンピュータ部１２による動作制御のもとに、ナビゲーション装置１１における通信部１７及び地図情報提供センター２１における通信部２６を通じて行われる。斯かるアクセスに応じ、地図情報提供センター２１において、コンピュータ部２２により、情報データベース２４から取り出し、通信部２６を通じて送出することができる地図情報の全部を、各地図情報の見出しをもってあらわす“提供可能情報見出しリスト情報（Ａ）”が形成される。そして、図１において情報交換ステップＳ２として示される如く、地図情報提供センター２１からナビゲーション装置１１への“提供可能情報見出しリスト情報（Ａ）”の送出が、地図情報提供センター２１のコンピュータ部２２による動作制御のもとに、地図情報提供センター２１における通信部２６及びナビゲーション装置１１における通信部１７を通じて行われる。
【００３０】
地図情報提供センター２１からナビゲーション装置１１へと伝達された“提供可能情報見出しリスト情報（Ａ）”は、ナビゲーション装置１１のコンピュータ部１２によって取り込まれ、その内容が、例えば、図３に示される如くに、〔提供可能地図情報〕として画像表示部１６により画像表示される。ナビゲーション装置１１においては、使用者による入力操作部１３を通じての入力操作に基づき、コンピュータ部１２によって、“提供可能情報見出しリスト情報（Ａ）”に含まれる見出しのうちから所望のものが選択される。また、コンピュータ部１２により、このとき情報記録再生部１５におけるコンパクト光ディスクが有している、新たな地図情報の記録に使用できる記録データ容量が検出される。
【００３１】
次に、コンピュータ部１２によって、“提供可能情報見出しリスト情報（Ａ）”に含まれる見出しのうちから選択された見出しをあらわし、さらに、検出されたコンパクト光ディスクにおける新たな地図情報の記録に使用できる記録データ容量を、選択された見出しの夫々により特定される各地図情報の取込みに使用可能な取込み容量としてあらわす、“要求見出しリスト情報（Ｂ）”が形成される。形成された“要求見出しリスト情報（Ｂ）”は、コンピュータ部１２による動作制御のもとに、その内容が、例えば、図４に示される如くに、〔要求地図情報〕として画像表示部１６により画像表示される。
【００３２】
そして、図１において情報交換ステップＳ３として示される如く、ナビゲーション装置１１から地図情報提供センター２１への“要求見出しリスト情報（Ｂ）”の送出が、ナビゲーション装置１１のコンピュータ部１２による動作制御のもとに、ナビゲーション装置１１における通信部１７及び地図情報提供センター２１における通信部２６を通じて行われる。
【００３３】
ナビゲーション装置１１から地図情報提供センター２１へと伝達された“要求見出しリスト情報（Ｂ）”は、地図情報提供センター２１のコンピュータ部２２によって取り込まれる。その後、コンピュータ部２２により、“要求見出しリスト情報（Ｂ）”に含まれる選択された見出しの夫々により特定される各地図情報のデータ量が算出されるとともに、算出された各地図情報のデータ量の和と、“要求見出しリスト情報（Ｂ）”に含まれる、選択された見出しの夫々により特定される各地図情報の取込みに使用可能な取込み容量とが比較されて、両者の大小関係が求められる。
【００３４】
続いて、コンピュータ部２２により、選択された見出しの夫々により特定される各地図情報のデータ量、及び、選択された見出しの夫々により特定される各地図情報のデータ量の和と選択された見出しの夫々により特定される各地図情報の取込みに使用可能な取込み容量との大小関係をあらわす“データ量関係情報（Ｃ）”が形成される。そして、図１において情報交換ステップＳ４として示される如く、地図情報提供センター２１からナビゲーション装置１１への“データ量関係情報（Ｃ）”の送出が、地図情報提供センター２１のコンピュータ部２２による動作制御のもとに、地図情報提供センター２１における通信部２６及びナビゲーション装置１１における通信部１７を通じて行われる。
【００３５】
地図情報提供センター２１からナビゲーション装置１１へと伝達された“データ量関係情報（Ｃ）”は、ナビゲーション装置１１のコンピュータ部１２によって取り込まれ、その内容が、例えば、図５に示される如くに、〔要求地図情報データ量〕として画像表示部１６により画像表示される。ナビゲーション装置１１においては、“データ量関係情報（Ｃ）”が参照され、使用者による入力操作部１３を通じての入力操作に基づき、コンピュータ部１２によって、“データ量関係情報（Ｃ）”の参照結果に応じて“要求見出しリスト情報（Ｂ）”についての修正が行われる状態と、“要求見出しリスト情報（Ｂ）”についての修正が行われない状態とが、選択的にとられる。
【００３６】
斯かる際にあっては、例えば、“データ量関係情報（Ｃ）”が、選択された見出しの夫々により特定される各地図情報のデータ量の和が、選択された見出しの夫々により特定される各地図情報の取込みに使用可能な取込み容量を越えていることをあらわす場合において、“要求見出しリスト情報（Ｂ）”についての、選択された見出しの夫々により特定される各地図情報のデータ量の和を低減させる修正、例えば、選択された見出しのうちの特定のものを、それにより特定される地図情報のデータ量が小である見出しに変更する修正が行われ、一方、“データ量関係情報（Ｃ）”が、選択された見出しの夫々により特定される各地図情報のデータ量の和が、選択された見出しの夫々により特定される各地図情報の取込みに使用可能な取込み容量を越えていないことをあらわす場合には、“要求見出しリスト情報（Ｂ）”についての修正は行われない。
【００３７】
“要求見出しリスト情報（Ｂ）”についての修正が行われた場合には、ナビゲーション装置１１のコンピュータ部１２によって、“要求見出しリスト情報（Ｂ）”が修正されて得られる“修正要求見出しリスト情報（Ｄ）”が形成される。形成された“修正要求見出しリスト情報（Ｄ）”は、コンピュータ部１２による動作制御のもとに、その内容が、例えば、図６に示される如くに、〔修正要求地図情報〕として画像表示部１６により画像表示される。
【００３８】
そして、図１において情報交換ステップＳ５として示される如く、ナビゲーション装置１１から地図情報提供センター２１への“修正要求見出しリスト情報（Ｄ）”の送出が、ナビゲーション装置１１のコンピュータ部１２による動作制御のもとに、ナビゲーション装置１１における通信部１７及び地図情報提供センター２１における通信部２６を通じて行われる。
【００３９】
ナビゲーション装置１１から地図情報提供センター２１へと伝達された“修正要求見出しリスト情報（Ｄ）”は、地図情報提供センター２１のコンピュータ部２２によって取り込まれる。その後、コンピュータ部２２により、“修正要求見出しリスト情報（Ｄ）”に含まれる選択された見出しの夫々により特定される各地図情報のデータ量が算出されるとともに、算出された各地図情報のデータ量の和と、“修正要求見出しリスト情報（Ｄ）”に含まれる、選択された見出しの夫々により特定される各地図情報の取込みに使用可能な取込み容量とが比較されて、両者の大小関係が求められる。
【００４０】
続いて、コンピュータ部２２により、“修正要求見出しリスト情報（Ｄ）”に含まれる選択された見出しの夫々により特定される各地図情報のデータ量、及び、選択された見出しの夫々により特定される各地図情報のデータ量の和と選択された見出しの夫々により特定される各地図情報の取込みに使用可能な取込み容量との大小関係をあらわす“修正データ量関係情報（Ｅ）”が形成される。そして、図１において情報交換ステップＳ６として示される如く、地図情報提供センター２１からナビゲーション装置１１への“修正データ量関係情報（Ｅ）”の送出が、地図情報提供センター２１のコンピュータ部２２による動作制御のもとに、地図情報提供センター２１における通信部２６及びナビゲーション装置１１における通信部１７を通じて行われる。
【００４１】
地図情報提供センター２１からナビゲーション装置１１へと伝達された“修正データ量関係情報（Ｅ）”は、ナビゲーション装置１１のコンピュータ部１２によって取り込まれ、その内容が、例えば、図７に示される如くに、〔修正要求地図情報データ量〕として画像表示部１６により画像表示される。ナビゲーション装置１１においては、“修正データ量関係情報（Ｅ）”が参照され、使用者による入力操作部１３を通じての入力操作に基づき、コンピュータ部１２によって、“修正データ量関係情報（Ｅ）”の参照結果に応じて、再度“修正要求見出しリスト情報（Ｄ）”についての修正が行われる状態と、“修正要求見出しリスト情報（Ｄ）”についての修正が行われない状態とが、選択的にとられる。
【００４２】
このような“修正要求見出しリスト情報（Ｄ）”についての更なる修正は、必要に応じて繰り返される。
【００４３】
“要求見出しリスト情報（Ｂ）”についての修正、もしくは、“修正要求見出しリスト情報（Ｄ）”についての更なる修正が行われないときには、ナビゲーション装置１１のコンピュータ部１２により、“地図情報送出要求情報（Ｆ）”が形成される。そして、図１において情報交換ステップＳ７として示される如く、ナビゲーション装置１１から地図情報提供センター２１への“地図情報送出要求情報（Ｆ）”の送出が、ナビゲーション装置１１のコンピュータ部１２による動作制御のもとに、ナビゲーション装置１１における通信部１７及び地図情報提供センター２１における通信部２６を通じて行われる。
【００４４】
ナビゲーション装置１１から地図情報提供センター２１へと伝達された“地図情報送出要求情報（Ｆ）”は、地図情報提供センター２１のコンピュータ部２２によって取り込まれる。その後、コンピュータ部２２により、“地図情報送出要求情報（Ｆ）”に応じて、“要求見出しリスト情報（Ｂ）”もしくは“修正要求見出しリスト情報（Ｄ）”に含まれる選択された見出しの夫々により特定される各“地図情報（Ｇ）”が、情報データベース２４から取り出されて、順次コンピュータ部２２内に取り込まれる。
【００４５】
続いて、図１において情報交換ステップＳ８として示される如く、地図情報提供センター２１からナビゲーション装置１１への、情報データベース２４からコンピュータ部２２に取り込まれた各“地図情報（Ｇ）”の送出が、地図情報提供センター２１のコンピュータ部２２による動作制御のもとに、地図情報提供センター２１における通信部２６及びナビゲーション装置１１における通信部１７を通じて順次行われる。
【００４６】
地図情報提供センター２１からナビゲーション装置１１へと順次伝達された“地図情報（Ｇ）”は、ナビゲーション装置１１のコンピュータ部１２によって順次取り込まれ、情報記録再生部１５に供給されて、情報記録再生部１５におけるコンパクト光ディスクに記録される。それにより、ナビゲーション装置１１においては、地図情報提供センター２１により提供可能とされる地図情報のうちから選択され、地図情報提供センター２１における通信部２６及びナビゲーション装置１１における通信部１７を通じて伝達された所望の地図情報が、その取込みに使用可能な取込み容量を越えないものとしてコンピュータ部１２により取り込まれるとともに、その取り込まれた所望の地図情報が記録されたコンパクト光ディスクが得られることになる。
【００４７】
従って、ナビゲーション装置１１に備えられた情報記録再生部１５に、コンパクト光ディスクを装着して用いる使用者が、上述の如くにして、本発明に係る情報取込方法の一例に従った地図情報の記録がなされて得られるコンパクト光ディスクを用いる場合にあっては、当該使用者は、分類を異にする数多くの情報記録媒体であるコンパクト光ディスクを取り揃えることが要されず、しかも、一つのコンパクト光ディスクから、所望の地図情報を効率良く得ることができることになる。
【００４８】
図８は、図１においてナビゲーション装置１１に適用されたものとして示される、コンピュータ部１２，入力操作部１３，情報記録再生部１５，画像表示部１６及び通信部１７を含む部分によって構成される本発明に係る地図情報取込装置の一例により、本発明に係る地図情報取込方法の一例が実施されるにあたって、コンピュータ部１２が、情報記録再生部１５，画像表示部１６及び通信部１７に対する動作制御を行うもとで実行するフローチャートを示す。
【００４９】
図８に示されるフローチャートにあっては、スタート後、ステップ４１において、通信部１７を通じて、地図情報提供センター２１に対するアクセスを行う。続いて、ステップ４２において、通信部１７を通じて、“提供可能情報見出しリスト情報（Ａ）”が到来したか否かを判断する。その結果、“提供可能情報見出しリスト情報（Ａ）”が到来していない場合には、ステップ４２での判断を繰り返す。
【００５０】
ステップ４２での判断の結果、“提供可能情報見出しリスト情報（Ａ）”が到来した場合には、ステップ４３において、“提供可能情報見出しリスト情報（Ａ）”を取り込み、その内容が画像表示部１６において画像表示されるようになす。次に、ステップ４４において、使用者による入力操作部１３を通じての入力操作に基づき、“提供可能情報見出しリスト情報（Ａ）”に含まれる見出しのうちから特定のものを選択し、さらに、続くステップ４５において、情報記録再生部１５におけるコンパクト光ディスクが有している、新たな地図情報の記録に使用可能な記録データ容量を検出する。
【００５１】
続いて、ステップ４６において、ステップ４４で選択された見出しをあらわし、さらに、ステップ４５で検出されたコンパクト光ディスクにおける新たな地図情報の記録に使用できる記録データ容量を、選択された見出しの夫々により特定される各地図情報の取込みに使用可能な取込み容量としてあらわす、“要求見出しリスト情報（Ｂ）”を形成し、その内容が画像表示部１６により画像表示されるようにして、“要求見出しリスト情報（Ｂ）”を、通信部１７を通じて、地図情報提供センター２１に送出する。
【００５２】
その後、ステップ４７において、通信部１７を通じて、“データ量関係情報（Ｃ）”が到来したか否かを判断する。その結果、“データ量関係情報（Ｃ）”が到来していない場合には、ステップ４７での判断を繰り返す。
【００５３】
ステップ４７での判断の結果、“データ量関係情報（Ｃ）”が到来した場合には、ステップ４８において、“データ量関係情報（Ｃ）”を取り込み、その内容が画像表示部１６において画像表示されるようになす。次に、ステップ４９において、“データ量関係情報（Ｃ）”を参照し、“要求見出しリスト情報（Ｂ）”についての修正が必要か否かを判断する。その結果、“データ量関係情報（Ｃ）”が、選択された見出しの夫々により特定される各地図情報のデータ量の和が、選択された見出しの夫々により特定される各地図情報の取込みに使用可能な取込み容量を越えていることをあらわしており、“要求見出しリスト情報（Ｂ）”についての修正が必要である場合には、ステップ５０において、“要求見出しリスト情報（Ｂ）”についての、選択された見出しの夫々により特定される各地図情報のデータ量の和を低減させる修正を行って、“修正要求見出しリスト情報（Ｄ）”を形成する。そして、ステップ５１において、“修正要求見出しリスト情報（Ｄ）”の内容が画像表示部１６により画像表示されるようにして、“修正要求見出しリスト情報（Ｄ）”を、通信部１７を通じて、地図情報提供センター２１に送出する。
【００５４】
続いて、ステップ５２において、通信部１７を通じて、“修正データ量関係情報（Ｅ）”が到来したか否かを判断する。その結果、“修正データ量関係情報（Ｅ）”が到来していない場合には、ステップ５２での判断を繰り返す。
【００５５】
ステップ５２での判断の結果、“修正データ量関係情報（Ｅ）”が到来した場合には、ステップ５３において、“修正データ量関係情報（Ｅ）”を取り込み、その内容が画像表示部１６において画像表示されるようになして、ステップ４９に戻る。そして、ステップ４９において、“修正データ量関係情報（Ｅ）”を参照して、“修正要求見出しリスト情報（Ｄ）”についての修正が必要か否かを判断し、その結果、“修正データ量関係情報（Ｅ）”が、選択された見出しの夫々により特定される各地図情報のデータ量の和が、選択された見出しの夫々により特定される各地図情報の取込みに使用可能な取込み容量を越えていることをあらわしており、“修正要求見出しリスト情報（Ｄ）”についての修正が必要である場合には、ステップ５０以降を繰り返す。
【００５６】
一方、ステップ４９での判断の結果、“要求見出しリスト情報（Ｂ）”もしくは“修正要求見出しリスト情報（Ｄ）”についての修正が必要でない合には、ステップ５４において、“地図情報送出要求情報（Ｆ）”を形成し、それを通信部１７を通じて地図情報提供センター２１へと送出する。
【００５７】
続いて、ステップ５５において、通信部１７を通じて、“地図情報（Ｇ）”が到来したか否かを判断する。その結果、“地図情報（Ｇ）”が到来していない場合には、ステップ５５での判断を繰り返す。
【００５８】
ステップ５５での判断の結果、“地図情報（Ｇ）”が到来した場合には、ステップ５６において、“地図情報（Ｇ）”を取り込み、続くステップ５７において、ステップ５６で取り込んだ“地図情報（Ｇ）”を情報記録再生部１５に供給し、情報記録再生部１５において“地図情報（Ｇ）”がコンパクト光ディスクに記録されるようにして、プロセスを終了する。
【００５９】
図９は、図１に示される地図情報提供センター２１が地図情報を送出する動作を行うにあたり、地図情報提供センター２１のコンピュータ部２２が、情報データベース２４及び通信部２６に対する動作制御を行うもとで実行するフローチャートを示す。
【００６０】
図９に示されるフローチャートにあっては、スタート後、ステップ６１において、通信部２６を通じて、ナビゲーション装置１１からのアクセスがあったか否かを判断する。その結果、ナビゲーション装置１１からのアクセスがなかった場合には、ステップ６１での判断を繰り返す。
【００６１】
ステップ６１での判断の結果、ナビゲーション装置１１からのアクセスがあった場合には、ステップ６２において、“提供可能情報見出しリスト情報（Ａ）”を、通信部２６を通じて、ナビゲーション装置１１へと送出する。
【００６２】
続いて、ステップ６３において、通信部２６を通じて、“要求見出しリスト情報（Ｂ）”が到来したか否かを判断する。その結果、“要求見出しリスト情報（Ｂ）”が到来していない場合には、ステップ６３での判断を繰り返す。
【００６３】
ステップ６３での判断の結果、“要求見出しリスト情報（Ｂ）”が到来した場合には、ステップ６４において、“要求見出しリスト情報（Ｂ）”を取り込み、続くステップ６５において、“要求見出しリスト情報（Ｂ）”に含まれる選択された見出しの夫々により特定される各地図情報のデータ量を算出するとともに、算出された各地図情報のデータ量の和と、“要求見出しリスト情報（Ｂ）”に含まれる、選択された見出しの夫々により特定される各地図情報の取込みに使用可能な取込み容量とを比較して、両者の大小関係を求める。
【００６４】
続いて、ステップ６６において、ステップ６５で算出された、選択された見出しの夫々により特定される各地図情報のデータ量、及び、ステップ６５で求められた、選択された見出しの夫々により特定される各地図情報のデータ量の和と選択された見出しの夫々により特定される各地図情報の取込みに使用可能な取込み容量との大小関係をあらわす“データ量関係情報（Ｃ）”を形成する。そして、ステップ６７において、ステップ６６で形成された“データ量関係情報（Ｃ）”を、通信部２６を通じて、ナビゲーション装置１１に送出する。
【００６５】
その後、ステップ６８において、通信部２６を通じて、“修正要求見出しリスト情報（Ｄ）”が到来したか否かを判断する。その結果、“修正要求見出しリスト情報（Ｄ）”が到来した場合には、ステップ６９において、“修正要求見出しリスト情報（Ｄ）”を取り込み、続くステップ７０において、“修正要求見出しリスト情報（Ｄ）”に含まれる選択された見出しの夫々により特定される各地図情報のデータ量を算出するとともに、算出された各地図情報のデータ量の和と、選択された見出しの夫々により特定される各地図情報の取込みに使用可能な取込み容量とを比較して、両者の大小関係を求める。
【００６６】
続いて、ステップ７１において、ステップ７０で算出された、選択された見出しの夫々により特定される各地図情報のデータ量、及び、ステップ７０で求められた、選択された見出しの夫々により特定される各地図情報のデータ量の和と選択された見出しの夫々により特定される各地図情報の取込みに使用可能な取込み容量との大小関係をあらわす“修正データ量関係情報（Ｅ）”を形成する。そして、ステップ７２において、ステップ７１で形成された“修正データ量関係情報（Ｅ）”を、通信部２６を通じて、ナビゲーション装置１１に送出して、ステップ６８に戻る。そして、ステップ６８での判断の結果、“修正要求見出しリスト情報（Ｄ）”が到来した場合には、ステップ６９以降の各ステップを繰り返す。
【００６７】
一方、ステップ６８での判断の結果、“修正要求見出しリスト情報（Ｄ）”が到来していない場合には、ステップ７３において、ステップ７２で“修正データ量関係情報（Ｅ）”が通信部２６を通じてナビゲーション装置１１に送出された後所定時間が経過したか否かを判断する。その結果、所定時間が経過していない場合には、ステップ６８に戻る。
【００６８】
ステップ７３での判断の結果、ステップ７２で“修正データ量関係情報（Ｅ）”が通信部２６を通じてナビゲーション装置１１に送出された後所定時間が経過した場合には、ステップ７４において、通信部２６を通じて、“地図情報送出要求情報（Ｆ）”が到来したか否かを判断する。その結果、“地図情報送出要求情報（Ｆ）”が到来していない場合には、ステップ７４での判断を繰り返す。
【００６９】
ステップ７４での判断の結果、“地図情報送出要求情報（Ｆ）”が到来した場合には、ステップ７５において、“要求見出しリスト情報（Ｂ）”もしくは“修正要求見出しリスト情報（Ｄ）”に含まれる選択された見出しの夫々により特定される各“地図情報（Ｇ）”を、順次情報データベース２４から取り出し、それらを、通信部２６を通じて、ナビゲーション装置１１に順次送出して、プロセスを終了する。
【００７０】
【発明の効果】
以上の説明から明らかな如く、本発明に係る地図情報取込方法及び地図情報取込装置によれば、地図情報提供部により提供可能とされる地図情報のうちから任意に選択された地図情報が、その取込みに使用可能なデータ取込容量に応じたものとされて取り込まれ、情報記録再生部において、例えば、情報の書込み及び読取りが可能なコンパクト光ディスクとされる情報記録媒体に記録される。それにより、情報再生部もしくは情報記録再生部に情報記録媒体を装着し、その情報記録媒体に格納された地図情報を再生して使用する使用者にとって、地図情報提供部により提供可能とされる地図情報のうちから所望のものとして選択した、例えば、複数種の地図情報が、効率良く格納された情報記録媒体を得ることができることになる。
【００７１】
従って、例えば、車両用のナビゲーション装置に備えられる情報再生部もしくは情報記録再生部に、コンパクト光ディスク等とされる情報記録媒体を装着して用いる使用者に対して、分類を異にする数多くの情報記録媒体を取り揃えることが要されず、しかも、例えば、一つの情報記録媒体から、所望の地図情報を効率良く得ることができることになる状況をもたらせる利点が得られる。
【図面の簡単な説明】
【図１】本発明に係る地図情報取込方法の一例に従った一連の情報交換の説明に供される概念図である。
【図２】本発明に係る地図情報取込方法の一例が実施される本発明に係る地図情報取込装置の一例が適用された車両のナビゲーション装置を、それとの交信が行われる地図情報提供センターと共に示すブロック構成図である。
【図３】本発明に係る地図情報取込方法の一例に従って本発明に係る地図情報取込装置の一例が受ける情報についての具体例の内容を示す図である。
【図４】本発明に係る地図情報取込方法の一例に従って本発明に係る地図情報取込装置の一例が送出する情報についての具体例の内容を示す図である。
【図５】本発明に係る地図情報取込方法の一例に従って本発明に係る地図情報取込装置の一例が受ける情報についての具体例の内容を示す図である。
【図６】本発明に係る地図情報取込方法の一例に従って本発明に係る地図情報取込装置の一例が送出する情報についての具体例の内容を示す図である。
【図７】本発明に係る地図情報取込方法の一例に従って本発明に係る地図情報取込装置の一例が受ける情報についての具体例の内容を示す図である。
【図８】本発明に係る地図情報取込方法の一例が実施されるにあたって、本発明に係る地図情報取込装置の一例におけるコンピュータ部が実行する制御動作の説明に供されるフローチャートである。
【図９】本発明に係る地図情報取込方法の一例が実施されるにあたって、地図情報提供センターにおけるコンピュータ部が実行する制御動作の説明に供されるフローチャートである。
【符号の説明】
１１  ナビゲーション装置
１２，２２  コンピュータ部
１３，２３  入力操作部
１４  位置検出部
１５  情報記録再生部
１６，２５  画像表示部
１７，２６  通信部
１８  車両センサ部
２１  地図情報提供センター
３０  通信回線
【図１】
0003624606.tif 000002
【図２】
0003624606.tif 000003
【図３】
0003624606.tif 000004
【図４】
0003624606.tif 000005
【図５】
0003624606.tif 000006
【図６】
0003624606.tif 000007
【図７】
0003624606.tif 000008
【図８】
0003624606.tif 000009
【図９】
0003624606.tif 000010